(57)【要約】  適応アルゴリズムにより伝搬路を推定する際に、伝搬路の変動が激しい環境であっても、高速又は高精度に伝搬路推定値を求めることを課題とする。この課題を解決するため、複数のパスのうち、伝搬路推定値を推定するためのパスを予め選択し、このパスの伝搬路推定値を先に算出し、その算出結果を用いて補間補外処理を行うこととした。これにより、適応アルゴリズムにより伝搬路を推定する際に、送受信機間の周波数誤差や、送受信機の移動に伴うドップラシフト等の影響によって伝搬路の変動が激しくなった環境であっても、高速又は高精度に伝搬路推定値を求めることができる。
2010038273.tif 000002
【特許請求の範囲】
【請求項１】
送信機から送信された信号を、複数のパスを介して受信する受信機に用いられる伝搬路推定装置であって、
前記パス毎の所定の特性値に基づいて、前記複数のパスのうち、伝搬路推定値を推定するためのパスである推定対象パスを選択するパス選択部と、
前記推定対象パスを伝搬する信号のうち、伝搬路推定値の推定対象となる信号を受信する時刻である推定受信時刻を決定する推定受信時刻決定部と、
前記推定対象パスを伝搬する信号の前記推定受信時刻における振幅及び位相を、前記推定対象パスの伝搬路推定値として推定する振幅位相推定部と、
前記推定対象パスの伝搬路推定値を用いた補間補外処理を行うことにより、前記推定対象パスを伝搬する信号の、前記推定受信時刻以外の時刻における伝搬路推定値を推定する補間補外処理部と、
を備えたことを特徴とする伝搬路推定装置。
【請求項２】
前記パス選択部は、
前記複数のパスを介して受信した信号から、前記パス毎の電力を、前記所定の特性値として算出するパス電力算出部と、
前記複数のパスのうち、前記算出した電力が所定の閾値以上となるパスを、前記推定対象パスとして選択する電力基準パス選択部と、
を備えたことを特徴とする請求項１に記載の伝搬路推定装置。
【請求項３】
前記パス選択部は、
前記複数のパスを介して受信した信号から、前記パス毎の電力を、前記所定の特性値として算出するパス電力算出部と、
前記複数のパスのうち、前記算出した電力が所定の閾値以上となるパスである有効電力パスを選択する電力基準パス選択部と、
各前記パスが前記電力基準パス選択部によって前記有効電力パスとして選択された確率を、前記所定の特性値として算出するパス選択確率算出部と、
前記算出した確率が所定の閾値以上となるパスを、前記推定対象パスとして選択する確率基準パス選択部と、
を備えたことを特徴とする請求項１に記載の伝搬路推定装置。
【請求項４】
前記受信機は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信方式で通信を行うＯＦＤＭ用受信機であって、
前記推定受信時刻決定部は、前記推定対象パスを伝搬する信号の１シンボル内に含まれるサンプル信号のうち、伝搬路推定値の推定対象となるサンプル信号を受信する時刻を前記推定受信時刻として決定し、
前記補間補外処理部は、前記推定受信時刻以外の時刻における伝搬路推定値を推定することにより、前記推定対象パスを伝搬する信号の１シンボル内に含まれるサンプル信号毎の伝搬路推定値を推定することを特徴とする請求項１〜３のいずれか１つに記載の伝搬路推定装置。
【請求項５】
前記推定受信時刻決定部は、
前記推定対象パスを伝搬する信号の過去のシンボル内に含まれるサンプル信号毎の伝搬路推定値と、前記推定対象パスを伝搬する信号の現在のシンボル内に含まれるサンプル信号毎の伝搬路推定値との間の時間変動量を検出する時間変動量検出部と、
前記時間変動量の大きさに応じて、前記推定受信時刻の数を決定する時刻数決定部と、
前記決定された前記推定受信時刻の数だけ、前記推定受信時刻を決定する時刻最終決定部と、
を備えたことを特徴とする請求項４に記載の伝搬路推定装置。
【請求項６】
送信機から送信された信号を、複数のパスを介して受信する受信機であって、
前記パス毎の所定の特性値に基づいて、前記複数のパスのうち、伝搬路推定値を推定するためのパスである推定対象パスを選択するパス選択部と、
前記推定対象パスを伝搬する信号のうち、伝搬路推定値の推定対象となる信号を受信する時刻である推定受信時刻を決定する推定受信時刻決定部と、
前記推定対象パスを伝搬する信号の前記推定受信時刻における振幅及び位相を、前記推定対象パスの伝搬路推定値として推定する振幅位相推定部と、
前記推定対象パスの伝搬路推定値を用いた補間補外処理を行うことにより、前記推定対象パスを伝搬する信号の、前記推定受信時刻以外の時刻における伝搬路推定値を推定する補間補外処理部と、
を備えたことを特徴とする受信機。
【請求項７】
前記パス選択部は、
前記複数のパスを介して受信した信号から、前記パス毎の電力を、前記所定の特性値として算出するパス電力算出部と、
前記複数のパスのうち、前記算出した電力が所定の閾値以上となるパスを、前記推定対象パスとして選択する電力基準パス選択部と、
を備えたことを特徴とする請求項６に記載の受信機。
【請求項８】
前記パス選択部は、
前記複数のパスを介して受信した信号から、前記パス毎の電力を、前記所定の特性値として算出するパス電力算出部と、
前記複数のパスのうち、前記算出した電力が所定の閾値以上となるパスである有効電力パスを選択する電力基準パス選択部と、
各前記パスが前記電力基準パス選択部によって前記有効電力パスとして選択された確率を、前記所定の特性値として算出するパス選択確率算出部と、
前記算出した確率が所定の閾値以上となるパスを、前記推定対象パスとして選択する確率基準パス選択部と、
を備えたことを特徴とする請求項６に記載の受信機。
【請求項９】
前記受信機は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信方式で通信を行うＯＦＤＭ用受信機であって、
前記推定受信時刻決定部は、前記推定対象パスを伝搬する信号の１シンボル内に含まれるサンプル信号のうち、伝搬路推定値の推定対象となるサンプル信号を受信する時刻を前記推定受信時刻として決定し、
前記補間補外処理部は、前記推定受信時刻以外の時刻における伝搬路推定値を推定することにより、前記推定対象パスを伝搬する信号の１シンボル内に含まれるサンプル信号毎の伝搬路推定値を推定することを特徴とする請求項６〜８のいずれか１つに記載の受信機。
【請求項１０】
前記推定受信時刻決定部は、
前記推定対象パスを伝搬する信号の過去のシンボル内に含まれるサンプル信号毎の伝搬路推定値と、前記推定対象パスを伝搬する信号の現在のシンボル内に含まれるサンプル信号毎の伝搬路推定値との間の時間変動量を検出する時間変動量検出部と、
前記時間変動量の大きさに応じて、前記推定受信時刻の数を決定する時刻数決定部と、
前記決定された前記推定受信時刻の数だけ、前記推定受信時刻を決定する時刻最終決定部と、
を備えたことを特徴とする請求項９に記載の受信機。
【請求項１１】
送信機から送信された信号を、複数のパスを介して受信する受信機における伝搬路推定方法であって、
前記パス毎の所定の特性値に基づいて、前記複数のパスのうち、伝搬路推定値を推定するためのパスである推定対象パスを選択するパス選択ステップと、
前記推定対象パスを伝搬する信号のうち、伝搬路推定値の推定対象となる信号を受信する時刻である推定受信時刻を決定する推定受信時刻決定ステップと、
前記推定対象パスを伝搬する信号の前記推定受信時刻における振幅及び位相を、前記推定対象パスの伝搬路推定値として推定する振幅位相推定ステップと、
前記推定対象パスの伝搬路推定値を用いた補間補外処理を行うことにより、前記推定対象パスを伝搬する信号の、前記推定受信時刻以外の時刻における伝搬路推定値を推定する補間補外処理ステップと、
を含むことを特徴とする伝搬路推定方法。
【請求項１２】
前記パス選択ステップには、
前記複数のパスを介して受信した信号から、前記パス毎の電力を、前記所定の特性値として算出するパス電力算出ステップと、
前記複数のパスのうち、前記算出した電力が所定の閾値以上となるパスを、前記推定対象パスとして選択する電力基準パス選択ステップと、
を含むことを特徴とする請求項１１に記載の伝搬路推定方法。
【請求項１３】
前記パス選択ステップには、
前記複数のパスを介して受信した信号から、前記パス毎の電力を、前記所定の特性値として算出するパス電力算出ステップと、
前記複数のパスのうち、前記算出した電力が所定の閾値以上となるパスである有効電力パスを選択する電力基準パス選択ステップと、
各前記パスが前記電力基準パス選択ステップにおいて前記有効電力パスとして選択された確率を、前記所定の特性値として算出するパス選択確率算出ステップと、
前記算出した確率が所定の閾値以上となるパスを、前記推定対象パスとして選択する確率基準パス選択ステップと、
を含むことを特徴とする請求項１１に記載の伝搬路推定方法。
【請求項１４】
前記受信機は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信方式で通信を行うＯＦＤＭ用受信機であって、
前記推定受信時刻決定ステップには、前記推定対象パスを伝搬する信号の１シンボル内に含まれるサンプル信号のうち、伝搬路推定値の推定対象となるサンプル信号を受信する時刻を前記推定受信時刻として決定し、
前記補間補外処理ステップには、前記推定受信時刻以外の時刻における伝搬路推定値を推定することにより、前記推定対象パスを伝搬する信号の１シンボル内に含まれるサンプル信号毎の伝搬路推定値を推定することを特徴とする請求項１１〜１３のいずれか１つに記載の伝搬路推定方法。
【請求項１５】
前記推定受信時刻決定ステップには、
前記推定対象パスを伝搬する信号の過去のシンボル内に含まれるサンプル信号毎の伝搬路推定値と、前記推定対象パスを伝搬する信号の現在のシンボル内に含まれるサンプル信号毎の伝搬路推定値との間の時間変動量を検出する時間変動量検出ステップと、
前記時間変動量の大きさに応じて、前記推定受信時刻の数を決定する時刻数決定ステップと、
前記決定された前記推定受信時刻の数だけ、前記推定受信時刻を決定する時刻最終決定ステップと、
を含むことを特徴とする請求項１４に記載の伝搬路推定方法。
【発明の詳細な説明】
【技術分野】
【０００１】
この発明は、伝搬路推定装置、受信機、及び伝搬路推定方法に関する。
【背景技術】
【０００２】
従来より、移動通信システムでは、送受信機間の伝搬路（パス）の状態を的確に推定し、その推定結果である伝搬路推定値を用いて受信機における受信信号を等化し、伝搬路にて信号の受けた歪みを補償している。そして、受信機では、伝搬路推定値を推定する際に、伝搬路の変動が緩やかであること（例えば、移動通信システムの通信方式がＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式である場合には、１シンボル内でサンプル信号毎の伝搬路推定値が一定であること）を仮定して、演算を行っていた。【０００３】
かかる従来の伝搬路推定方法について説明する。時刻ｔの送信信号をｘ（ｔ）、雑音をｎ（ｔ）、時刻ｔにおける遅延時間τの伝搬路推定値をｈ（τ，ｔ）とすると、時刻ｔの受信信号ｙ（ｔ）は、【０００４】
【数１】
2010038273.tif 000003
と表現できる。したがって、スペクトル拡散方式を用いた通信では、伝搬路推定値が、【０００５】
【数２】
2010038273.tif 000004
と推定される。また、ＯＦＤＭ方式を用いた通信では、伝搬路推定値が、【０００６】
【数３】
2010038273.tif 000005
と推定される。上記（２）式及び（３）式に示すように、従来の伝搬路推定方法では、ｙ（ｔ）からｙ（ｔ＋Ｔ−１）までのＴサンプル信号分の信号を用いた場合に、時刻ｔ＋Ｔ／２の伝搬路推定値を推定し、この伝搬路推定値を１シンボル内のサンプル毎で一定値として採用していた。【０００７】
ところで、近年では、移動通信システムの周波数帯域が高くなったために、送受信機間の周波数誤差や、送受信機の移動に伴うドップラシフトの影響が顕著となり、伝搬路の変動が激しくなっている。【０００８】
しかしながら、上記従来の伝搬路推定方法では、１シンボル、すなわち、Ｔサンプルの信号の中央時刻ｔ＋Ｔ／２における伝搬路推定値を、１シンボル内の一定値として用いていたため、伝搬路の激しい変動によって、１シンボル内すなわちＴサンプル信号内で伝搬路が変動した場合、正確な伝搬路推定値を得ることができない。したがって、受信信号を正確に等化できない。【０００９】
かかる状況の下、伝搬路変動の激しい環境であっても、その環境に適応的に伝搬路推定値を更新することのできる適応アルゴリズムを用いた技術が種々検討されている。【００１０】
この種の技術として、適応アルゴリズムによる補正（更新）後のタップ係数（伝搬路推定値に相当）を閾値判定することによって、雑音に相当するタップ係数を除き、残りのタップ係数だけを受信信号の等化に用いるもの（例えば、特許文献１〜３参照）や、適応アルゴリズムによる更新後のタップ係数を用いた等化信号を閾値判定するもの（例えば、特許文献４参照）が知られている。【００１１】
【特許文献１】特開平１１−３１３０１３号公報
【特許文献２】特開２００７−３３６３１７号公報
【特許文献３】特開２００５−５１４０４号公報
【特許文献４】特開平５−３０８２５２号公報
【発明の開示】
【発明が解決しようとする課題】
【００１２】
しかしながら、特許文献１〜４に記載の従来技術では、いずれも、送受信機間の複数の伝搬路を伝搬する全ての信号を適応アルゴリズムに入力し、適応アルゴリズムの演算によって、全ての伝搬路について、伝搬路推定値を算出している。このため、適応アルゴリズムにおける演算量が膨大となり、伝搬路推定値の算出速度が遅延化していた。【００１３】
また、適応アルゴリズムによる更新後のタップ係数を閾値判定した後、閾値以下のタップ係数、すなわち、雑音成分に相当する伝搬路推定値を強制的に０にするため、伝搬路推定値の算出精度が低下していた。【００１４】
この発明は、上述した従来技術による問題点を解消するためになされたものであり、伝搬路の変動が激しい環境であっても、高速又は高精度に伝搬路推定値を求めることのできる伝搬路推定装置、受信機、及び伝搬路推定方法を提供することを目的とする。
【課題を解決するための手段】
【００１５】
上述した課題を解決し、目的を達成するため、本願の開示する伝搬路推定装置は、一つの態様において、前記パス毎の所定の特性値に基づいて、前記複数のパスのうち、伝搬路推定値を推定するためのパスである推定対象パスを選択するパス選択部と、前記推定対象パスを伝搬する信号のうち、伝搬路推定値の推定対象となる信号を受信する時刻である推定受信時刻を決定する推定受信時刻決定部と、前記推定対象パスを伝搬する信号の前記推定受信時刻における振幅及び位相を、前記推定対象パスの伝搬路推定値として推定する振幅位相推定部と、前記推定対象パスの伝搬路推定値を用いた補間補外処理を行うことにより、前記推定対象パスを伝搬する信号の、前記推定受信時刻以外の時刻における伝搬路推定値を推定する補間補外処理部と、を備える。
【発明の効果】
【００１６】
高速又は高精度に伝搬路推定値を求めることができるという効果を奏する。
【図面の簡単な説明】
【００１７】
【図１】図１は、本実施例に係る伝搬路推定装置を備えた無線通信システムの構成を示すブロック図である。
【図２】図２は、図１に示す受信機の構成を示すブロック図である。
【図３】図３は、図２に示す伝搬路推定装置の構成を示すブロック図である。
【図４】図４は、図３に示すパス選択部の構成を示すブロック図である。
【図５】図５は、電力を基準とした推定対象パスの選択について説明するための図である。
【図６】図６は、確率を基準とした推定対象パスの選択について説明するための図である。
【図７】図７は、図３に示す推定受信時刻決定部の構成を示すブロック図である。
【図８】図８は、図３に示す振幅位相推定部の構成を示すブロック図である。
【図９】図９は、図８に示す送信系列推定部の構成を示すブロック図である。
【図１０】図１０は、図８に示すパス振幅位相推定部の構成を示すブロック図である。
【図１１】図１１は、適応アルゴリズム推定部における適応アルゴリズムの動作の一例を説明するための図である。
【図１２】図１２は、図３に示す補間補外処理部の構成を示すブロック図である。
【図１３】図１３は、サンプル毎伝搬路推定部の補間補外処理の動作の一例を説明するための図である。
【図１４】図１４は、サンプル毎伝搬路推定部の補間補外処理の動作の一例を説明するための図である。
【図１５】図１５は、本実施例に係る伝搬路推定装置の伝搬路推定処理を示すフローチャートである。
【図１６】図１６は、本実施例に係る伝搬路推定装置を用いたシミュレーション結果の一例を示す図である。
【図１７】図１７は、本実施例に係る伝搬路推定方法を適用したＯＦＤＭ用伝搬路推定装置の構成を示すブロック図である。
【図１８】図１８は、図１７に示すＯＦＤＭ用伝搬路推定装置の他の構成を示すブロック図である。
【符号の説明】
【００１８】
１            送信機
２            受信機
１１          伝搬路推定装置
２０          パス選択部
２１          推定受信時刻決定部
２２          振幅位相推定部
２３          補間補外処理部
３０          パス電力算出部
３１          電力基準パス選択部
３２          パス選択確率算出部
３３          確率基準パス選択部
４０          時間変動量検出部
４１          時刻数決定部
４２          時刻最終決定部
【発明を実施するための最良の形態】
【００１９】
以下に、本願の開示する伝搬路推定装置、受信機、及び伝搬路推定方法の実施例を図面に基づいて詳細に説明する。
【実施例】
【００２０】
図１は、本実施例に係る伝搬路推定装置を備えた無線通信システムの構成を示すブロック図である。図１に示すように、無線通信システムは、送信機１と、受信機２とを有している。送信機１は、受信機２に対して信号を送信する。【００２１】
送信機１から送信された信号は、複数の伝搬路（パス）ＰＴ（０）〜ＰＴ（τ）を伝搬して、受信機２に受信される。なお、τは、それぞれのパスＰＴにおける信号の遅延時間を示しており、図１では、パスＰＴ（０）、パスＰＴ（１）、パスＰＴ（２）、…、パス（τ）の順番で、そのパスを伝搬する信号が遅延していることを示している。【００２２】
送信機１から送信された信号は、複数のパスＰＴ（０）〜ＰＴ（τ）を伝搬する際に、送信機１と受信機２の間の周波数誤差や、送信機１及び受信機２の移動に伴うドップラシフト等の影響を受ける。このため、複数のパスＰＴ（０）〜ＰＴ（τ）のそれぞれを伝搬信号は、変動（歪み）を受けた信号となる。【００２３】
受信機２は、送信機１から送信された信号を、複数のパスＰＴ（０）〜ＰＴ（τ）を介して受信する。受信機２の受信する信号は、上記の変動を受けた信号である。【００２４】
図２は、図１に示す受信機２の構成を示すブロック図である。図２に示すように、受信機２は、等化器１０と、伝搬路推定装置１１とを有している。なお、図２では、本実施例に係る伝搬路推定装置１１と関連のない構成については、図示と説明を省略することとする。【００２５】
伝搬路推定装置１１は、複数のパスＰＴ（０）〜ＰＴ（τ）を介して受信した信号（受信信号）と、既知送信系列とから、パスＰＴ（０）〜ＰＴ（τ）のそれぞれを伝搬する信号の歪みを表す伝搬路推定値を推定する。【００２６】
等化器１０は、伝搬路推定装置１１により推定された伝搬路推定値を用いて、受信信号から歪みを除去する等化処理を行う。等化処理によって歪みが除去された信号（等化信号）は、図示しない復調処理部に送られ、元の送信信号に復調される。【００２７】
ここで、等化器１０における等化処理は、伝搬路推定装置１１により推定された伝搬路推定値を用いているため、伝搬路推定装置１１における伝搬路推定値の推定精度が下がると、等化器１０から出力される等化信号の信号特性が劣化する。【００２８】
そこで、伝搬路推定値の推定精度を向上すべく、本実施例の伝搬路推定装置１１では、複数のパスＰＴ（０）〜ＰＴ（τ）のうち、伝搬路推定値を推定するためのパスを予め選択し、このパスの伝搬路推定値を算出して、その算出結果を用いて補間補外処理を行う。【００２９】
次に、図３を参照して、本実施例に係る伝搬路推定装置１１の構成について具体的に説明する。図３は、図２に示す伝搬路推定装置１１の構成を示すブロック図である。図３に示すように、伝搬路推定装置１１は、パス選択部２０と、推定受信時刻決定部２１と、振幅位相推定部２２と、補間補外処理部２３と、を有する。【００３０】
パス選択部２０は、受信信号から、パスの特性を示すパス特性値をパス毎に算出し、このパス毎のパス特性値に基づいて、複数のパスＰＴ（０）〜ＰＴ（τ）のうち、伝搬路推定値を推定するためのパスである推定対象パスを選択する。パス選択部２０によって選択された推定対象パスの情報は、振幅位相推定部２２に通知される。なお、推定対象パスを選択するパス選択部２０の具体的な構成については、別途詳細に説明する。【００３１】
推定受信時刻決定部２１は、推定対象パスを伝搬する信号のうち、伝搬路推定値の推定対象となる信号を受信する時刻である推定受信時刻を決定する。推定受信時刻決定部２１によって決定された推定受信時刻の情報は、振幅位相推定部２２に通知される。【００３２】
振幅位相推定部２２は、パス選択部２０によって選択された推定対象パスを伝搬する信号の、推定受信時刻決定部２１によって決定された推定受信時刻における振幅及び位相を、推定対象パスの伝搬路推定値として推定する。具体的には、振幅位相推定部２２は、受信信号と、既知送信系列と、パス選択部２０の出力と、推定受信時刻決定部２１の出力とを用いて、推定対象パスの伝搬路推定値を推定する。振幅位相推定部２２によって推定された推定対象パスの伝搬路推定値は、補間補外処理部２３へ送られる。【００３３】
補間補外処理部２３は、推定対象パスの伝搬路推定値を用いた補間補外処理を行うことにより、その推定対象パスを伝搬する信号の、推定受信時刻以外の時刻における伝搬路推定値を推定する。補間補外処理部２３によって推定された伝搬路推定値は、図２に示す等化器１０へ送信され、等化処理に用いられる。【００３４】
次に、図４を参照して、図３に示すパス選択部２０の構成について説明する。図４は、図３に示すパス選択部２０の構成を示すブロック図である。図４に示すように、パス選択部２０は、パス電力算出部３０と、電力基準パス選択部３１と、パス選択確率算出部３２と、確率基準パス選択部３３と、を有する。【００３５】
パス電力算出部３０は、受信信号からパス毎の電力を、パス特性値として算出する。【００３６】
電力基準パス選択部３１は、パス電力算出部３０により算出したパス毎の電力と所定の閾値とを比較して、複数のパスＰＴ（０）〜ＰＴ（τ）のうち、その電力が所定の閾値以上となるパスである有効電力パスを選択する。【００３７】
パス選択確率算出部３２は、各パスが電力基準パス選択部３１によって有効電力パスとして選択された確率を、パス特性値として算出する。【００３８】
具体的には、あるパスを伝搬する信号の現在のシンボルにおける確率値をＰＮ、そのパスを伝搬する信号の１つ前のシンボルにおける確率値をＰＮ−１、忘却係数をμ（０＜μ＜１）とすると、各パスが電力基準パス選択部３１によって有効電力パスとして選択された確率Ｐは、Ｐ＝μＰＮ−１＋（１−μ）ＰＮと表される。ただし、確率値ＰＮには、各パスが電力基準パス選択部３１によって有効電力パスとして選択された場合に「１」が設定され、有効電力パスとして選択されなかった場合に「０」が設定され、確率値ＰＮ−１には、１つ前のシンボルにおける確率Ｐの算出値が設定されるものとする。【００３９】
例えば、忘却係数μ＝０．３であり、１つ前のシンボルまであるパスが電力基準パス選択部３１によって有効電力パスとして選択されており、現在のシンボルにてあるパスが電力基準パス選択部３１によって有効電力パスとして選択されなかった場合（すなわち、ＰＮ−１＝１、ＰＮ＝０）、確率Ｐ＝０．３×１＋０．７×０＝０．３となる。さらに、１つ後のシンボルにてあるパスが電力基準パス選択部３１によって有効電力パスとして再び選択された場合（すなわち、ＰＮ＝１）、確率Ｐ＝０．３×０．３＋０．７×１＝０．７９となる。このようにして、１つ前のシンボルまでにあるパスが電力基準パス選択部３１によって有効電力パスとして選択された確率を考慮しつつ、現在のシンボルにおいてあるパスが電力基準パス選択部３１によって有効電力パスとして選択された確率を累積的に算出している。【００４０】
確率基準パス選択部３３は、パス選択確率算出部３２により算出したパス毎の確率と所定の閾値とを比較して、パス選択確率算出部３２によって算出された確率が所定の閾値以上となるパスを、推定対象パスとして選択する。【００４１】
ここで、図５及び図６を参照して、パス選択部２０によって推定対象パスの選択を行う手順について説明する。図５は、電力を基準とした推定対象パスの選択について説明するための図であり、図６は、確率を基準とした推定対象パスの選択について説明するための図である。なお、図５及び図６では、一例として、図１に示す送信機１と受信機２との間に９つのパスＰＴ（０）〜ＰＴ（８）（遅延時間τ＝０〜８）が存在する場合について説明する。【００４２】
図５に示すように、まず、パス電力算出部３０によって、９つのパスＰＴ（０）〜ＰＴ（８）毎の電力、言い換えると、遅延時間０〜８毎の電力が算出される。【００４３】
そして、電力基準パス選択部３１は、９つのパスＰＴ（０）〜ＰＴ（８）毎の電力と所定の閾値ＴＨｐｏｗｅｒとを比較して、９つのパスＰＴ（０）〜ＰＴ（８）のうち、パス電力算出部３０により算出された電力が所定の閾値ＴＨｐｏｗｅｒ以上となるパスである有効電力パスを選択する。【００４４】
図５に示す例では、パスＰＴ（０）、ＰＴ（１）、ＰＴ（４）、及びＰＴ（６）の電力が所定の閾値ＴＨｐｏｗｅｒ以上であるので、パスＰＴ（０）、ＰＴ（１）、ＰＴ（４）、及びＰＴ（６）が、有効電力パスとして選択される。電力基準パス選択部３１により選択された有効電力パスの情報は、確率基準パス選択部３３へ出力される。【００４５】
続いて、図６に示すように、パス選択確率算出部３２によって、９つの各パスＰＴ（０）〜ＰＴ（８）が電力基準パス選択部３１によって有効電力パスとして選択された確率（以下、単に「確率」とも言う。）が算出される。【００４６】
そして、確率基準パス選択部３３は、９つのパスＰＴ（０）〜ＰＴ（８）毎の確率と所定の閾値ＴＨｐｒｏｂとを比較して、パス選択確率算出部３２によって算出された確率が所定の閾値ＴＨｐｒｏｂ以上となるパスを、推定対象パスとして選択する。【００４７】
図６に示す例では、パス選択確率算出部３２によって算出された確率が所定の閾値ＴＨｐｒｏｂ以上となるパスＰＴ（０）、ＰＴ（１）、ＰＴ（６）、及びＰＴ（７）が、推定対象パスとして選択される。【００４８】
確率基準パス選択部３３により選択された推定対象パスの情報は、確率基準パス選択部３３によって、図３に示す振幅位相推定部２２へ出力される。言い換えると、９つのパスＰＴ（０）〜ＰＴ（８）のうち、確率基準パス選択部３３で選択されたパスが、推定対象パスとして振幅位相推定部２２へ最終的に出力される。【００４９】
なお、パスＰＴ（４）は、電力基準パス選択部３１によって選択されているが、確率基準パス選択部３３によって選択されていない。したがって、パスＰＴ（４）は、推定対象パスに該当せず、振幅位相推定部２２へ出力されない。【００５０】
このように、本実施例では、パス選択部２０で推定対象パスを選択することによって、確率の低いパスが、振幅位相推定部２２へ出力されないことになる。したがって、振幅位相推定部２２における後述の適応アルゴリズム推定部５２２への入力信号数を削減することができ、振幅位相推定部２２の演算量を削減することができる。【００５１】
なお、パス選択部２０にパス選択確率算出部３２及び確率基準パス選択部３３を設けなくてもよい。この場合、電力基準パス選択部３１は、複数のパスのうち、パス電力算出部３０によって算出された電力が所定の閾値以上となるパスを、推定対象パスとして選択し、振幅位相推定部２２へ出力する。【００５２】
次に、図７を参照して、図３に示す推定受信時刻決定部２１の構成について説明する。図７は、図３に示す推定受信時刻決定部２１の構成を示すブロック図である。図７に示すように、推定受信時刻決定部２１は、時間変動量検出部４０と、時刻数決定部４１と、時刻最終決定部４２と、を有する。【００５３】
時間変動量検出部４０は、推定対象パスを伝搬する信号の過去のシンボル内に含まれるサンプル信号毎の伝搬路推定値と、現在のシンボル内に含まれるサンプル信号毎の伝搬路推定値との間の時間変動量を検出する。【００５４】
時刻数決定部４１は、時間変動量検出部４０によって検出された時間変動量の大きさに応じて、伝搬路推定値の推定対象となる信号を受信する時刻である推定受信時刻の数を決定する。具体的には、時間変動量が大きいほど、時刻数決定部４１は、推定受信時刻の数を多くする。【００５５】
時刻最終決定部４２は、時刻数決定部４１により決定された推定受信時刻の数だけ、推定対象パスを伝搬する信号の現在のシンボル内における推定受信時刻を決定する。また、時刻最終決定部４２は、決定した推定受信時刻を振幅位相推定部２２及び補間補外処理部２３へ出力する。【００５６】
例えば、時刻数決定部４１により決定された推定受信時刻の数が１個の場合、時刻最終決定部４２は、推定対象パスを伝搬する信号の現在のシンボルにおける中心の時刻を、推定受信時刻として決定する。したがって、推定対象パスを伝搬する信号の現在のシンボルに含まれるサンプル信号数がＴ個である場合に、時刻ｔ＝（Ｔ−１）／２が推定受信時刻として決定される。【００５７】
また、時刻数決定部４１により決定された推定受信時刻の数が２個の場合、時刻最終決定部４２は、推定対象パスを伝搬する信号の現在のシンボルにおける前後両端の時刻を、推定受信時刻として決定する。したがって、推定対象パスを伝搬する信号の現在のシンボルに含まれるサンプル信号数がＴ個である場合に、時刻ｔ＝０及び時刻ｔ＝Ｔ−１が推定受信時刻として決定される。【００５８】
次に、図８を参照して、図３に示す振幅位相推定部２２の構成について説明する。図８は、図３に示す振幅位相推定部２２の構成を示すブロック図である。図８に示すように、振幅位相推定部２２は、送信系列推定部５０と、パス振幅位相推定部５１と、パス電力算出部５２と、電力基準パス選択部５３と、を有している。【００５９】
送信系列推定部５０は、受信信号と、既知送信系列とを用いて送信信号を推定する。【００６０】
パス振幅位相推定部５１は、受信信号と、送信系列推定部５０により推定された送信信号（以下、「推定送信系列」とも言う。）とを用いて、パス選択部２０により選択された推定対象パスを伝搬する信号の、推定受信時刻決定部２１により決定された推定受信時刻における振幅及び位相を推定する。例えば、図５及び図６で既に説明したように、９つのパスＰＴ（０）〜ＰＴ（８）のうち、パスＰＴ（０）、ＰＴ（１）、ＰＴ（６）、ＰＴ（７）が推定対象パスとして選択された場合、パスＰＴ（０）、ＰＴ（１）、ＰＴ（６）、及びＰＴ（７）の推定受信時刻における振幅及び位相が推定される。【００６１】
パス電力算出部５２は、パス振幅位相推定部５１の出力から、各推定対象パスの電力を算出する。【００６２】
電力基準パス選択部５３は、パス電力算出部５２により算出した推定対象パス毎の電力と所定の閾値とを比較して、パス選択部２０により選択された推定対象パスのうち、その電力が所定の閾値以上となるパスを、推定対象パスとして新たに選択する。また、電力基準パス選択部５３は、スイッチ５３ａを切り替えて、新たに選択した推定対象パスの情報をパス振幅位相推定部５１へ戻す。これにより、パス選択部２０により選択された推定対象パスの数が更に削減される。【００６３】
パス振幅位相推定部５１は、受信信号と、送信系列推定部５０により推定された送信信号とを用いて、電力基準パス選択部５３により選択された推定対象パスを伝搬する信号の、推定受信時刻における振幅及び位相を再び推定する。【００６４】
このように、振幅位相推定部２２は、パス振幅位相推定部５１、パス電力算出部５２、及び電力基準パス選択部５３の処理を所定の回数だけ繰り返す。これにより、パス振幅位相推定部５１により推定される振幅及び位相は、適応的に調整され、パス振幅位相値として出力される。なお、パス振幅位相推定部５１の具体的な構成については、別途詳細に説明する。【００６５】
次に、図９を参照して、図８に示す送信系列推定部５０の構成について説明する。図９は、図８に示す送信系列推定部５０の構成を示すブロック図である。図９に示すように、送信系列推定部５０は、仮伝搬路推定部５１１と、等化部５１２と、仮判定部５１３と、推定送信系列生成部５１４と、を有している。【００６６】
仮伝搬路推定部５１１は、受信信号と、既知送信系列とを用いて、複数のパスＰＴ（０）〜ＰＴ（τ）を伝搬する信号の仮の伝搬路推定値を推定する。等化部５１２は、仮伝搬路推定部５１１によって推定した仮の伝搬路推定値を用いて、受信信号に対して等化処理を行う。仮判定部５１３は、等化部５１２からの出力を仮判定する。推定送信系列生成部５１４は、仮判定部５１３からの出力と、既知送信系列とを用いて推定送信系列を生成する。【００６７】
次に、図１０を参照して、図８に示すパス振幅位相推定部５１の構成について説明する。図１０は、図８に示すパス振幅位相推定部５１の構成を示すブロック図である。図１０に示すように、パス振幅位相推定部５１は、タップ係数生成部５２１と、適応アルゴリズム推定部５２２と、を有している。【００６８】
タップ係数生成部５２１は、推定受信時刻及び推定対象パスに基づいて、適応アルゴリズム推定部５２２に入力される伝搬路推定値を生成する。適応アルゴリズム推定部５２２は、タップ係数生成部５２１からの出力と受信信号と推定送信系列とを適応アルゴリズムに入力し、この適応アルゴリズムを動作させることにより、推定対象パスを伝搬する信号の推定受信時刻における振幅及び位相を、推定対象パスの伝搬路推定値（パス振幅位相値）として推定する。なお、適応アルゴリズムとしては、ＬＭＳアルゴリズム、ＲＬＳアルゴリズム等の公知のアルゴリズムを採用することができる。【００６９】
ここで、適応アルゴリズム推定部５２２における適応アルゴリズムの動作について説明する。図１１は、適応アルゴリズム推定部５２２における適応アルゴリズムの動作の一例を説明するための図である。なお、図１１では、推定受信時刻決定部２１によって、推定対象パスを伝搬する信号の現在のシンボル（Ｔサンプル信号）における前後両端の時刻ｔ＝０及びｔ＝Ｔ−１を、推定受信時刻として決定した場合について説明する。【００７０】
図１１に示すように、１シンボル、すなわち、Ｔ個のサンプル信号の前端部分には、一般に、ガードインターバルＧＩが挿入されている。なお、ガードインターバルとは、時間領域において、所定のシンボルの後端部分をそのシンボルの前端部分に複写した区間のことを指す。現在のシンボルにおける前端の推定受信時刻ｔ＝０の伝搬路推定値を推定する場合、適応アルゴリズム推定部５２２は、現在のシンボルの途中から時間領域の遡る方向、すなわち、ガードインターバルＧＩの方向に適応アルゴリズムを動作する。一方、現在のシンボルにおける後端の推定受信時刻ｔ＝Ｔ−１の伝搬路推定値を推定する場合、適応アルゴリズム推定部５２２は、現在のシンボルの途中から時間領域の進む方向、すなわち、ガードインターバルＧＩと反対の方向に適応アルゴリズムを動作する。これにより、適応アルゴリズムの収束を高速化することができる。【００７１】
次に、図１２を参照して、図３に示す補間補外処理部２３の構成について説明する。図１２は、図３に示す補間補外処理部２３の構成を示すブロック図である。図１２に示すように、補間補外処理部２３は、伝搬路推定値保存部６０と、サンプル毎伝搬路推定部６１と、を有している。【００７２】
伝搬路推定値保存部６０は、振幅位相推定部２２から出力されたパス振幅位相値、すなわち、推定対象パスの伝搬路推定値を保存する。【００７３】
サンプル毎伝搬路推定部６１は、推定受信時刻と、推定対象パスの伝搬路推定値と、必要な場合には伝搬路推定値保存部６０に保存された推定対象パスの伝搬路推定値とを用いた補間補外処理を行う。具体的には、サンプル毎伝搬路推定部６１は、補間補外処理によって、推定対象パスを伝搬する信号の、推定受信時刻以外の時刻における伝搬路推定値を推定し、推定対象パスを伝搬する信号の１シンボル内に含まれるサンプル信号毎の伝搬路推定値を推定する。なお、補間補外処理としては、線形補間補外や曲線補間補外等の各種の補間補外処理を採用することができる。【００７４】
ここで、図１３及び図１４を参照して、サンプル毎伝搬路推定部６１による補間補外処理の手順を説明する。図１３は、推定受信時刻決定部２１によって、現在のシンボルにおける中心の時刻を、推定受信時刻として決定した場合におけるサンプル毎伝搬路推定部６１の補間補外処理の動作の一例を説明するための図である。【００７５】
図１３に示すように、推定受信時刻が現在のシンボルにおける中心の時刻ｔ＝（Ｔ−１）／２である場合、サンプル毎伝搬路推定部６１は、まず、過去のシンボルにおける推定対象パスの伝搬路推定値を伝搬路推定値保存部６０から読み出す。【００７６】
続いて、サンプル毎伝搬路推定部６１は、過去のシンボルにおける推定対象パスの伝搬路推定値と、現在のシンボルにおける推定対象パスの伝搬路推定値とを用いた線形補間補外処理を行う。すなわち、サンプル毎伝搬路推定部６１は、過去のシンボルにおける中心の時刻ｔ＝（Ｔ−１）／２の伝搬路推定値と、現在のシンボルにおける中心の時刻ｔ＝（Ｔ−１）／２の伝搬路推定値とを通る直線を生成し、１シンボル（Ｔ個のサンプル信号）に含まれる全てのサンプル信号の伝搬路推定値を推定する。言い換えると、サンプル毎伝搬路推定部６１の生成した直線によって、実際の伝搬路値が近似される。【００７７】
図１４は、推定受信時刻決定部２１によって、現在のシンボルにおける前後両端の時刻を、推定受信時刻として決定した場合におけるサンプル毎伝搬路推定部６１の補間補外処理の動作の一例を説明するための図である。【００７８】
図１４に示すように、推定受信時刻が現在のシンボルにおける前後両端の時刻ｔ＝０及びｔ＝Ｔ−１である場合、サンプル毎伝搬路推定部６１は、現在のシンボルにおける推定対象パスの伝搬路推定値を用いた線形補間補外処理を行う。すなわち、サンプル毎伝搬路推定部６１は、現在のシンボルにおける前後両端の時刻ｔ＝０及びｔ＝Ｔ−１の伝搬路推定値を通る直線を生成し、１シンボル（Ｔ個のサンプル信号）に含まれる全てのサンプル信号の伝搬路推定値を推定する。言い換えると、サンプル毎伝搬路推定部６１の生成した直線によって、実際の伝搬路値が近似される。【００７９】
次に、図１５を参照して、本実施例に係る伝搬路推定装置１１の伝搬路推定処理について説明する。図１５は、本実施例に係る伝搬路推定装置１１の伝搬路推定処理を示すフローチャートである。【００８０】
図１５に示すように、伝搬路推定装置１１のパス選択部２０は、受信信号から、パス毎のパス特性値（すなわち、上述の電力や確率）に基づいて、複数のパスＰＴ（０）〜ＰＴ（τ）のうち、推定対象パスを選択する（ステップＳ１）。また、推定受信時刻決定部２１は、推定受信時刻を決定する（ステップＳ２）。なお、ステップＳ１及びステップＳ２の処理は、並行して実行されても良い。【００８１】
振幅位相推定部２２は、ステップＳ１にて選択された推定対象パスを伝搬する信号の、ステップＳ２にて決定された推定受信時刻における振幅及び位相を、推定対象パスの伝搬路推定値として推定する（ステップＳ３）。【００８２】
補間補外処理部２３は、ステップＳ３にて推定された推定対象パスの伝搬路推定値を用いた補間補外処理を行うことにより、その推定対象パスを伝搬する信号の、推定受信時刻以外の時刻における伝搬路推定値を推定する（ステップＳ４）。【００８３】
上述してきたように、本実施例では、複数のパスのうち、伝搬路推定値を推定するためのパスを予め選択し、このパスの伝搬路推定値を先に算出し、その算出結果を用いて補間補外処理を行うこととした。このため、適応アルゴリズムにより伝搬路を推定する際に、送受信機間の周波数誤差や、送受信機の移動に伴うドップラシフト等の影響によって伝搬路の変動が激しくなった環境であっても、高速かつ高精度に伝搬路推定値を求めることができる。【００８４】
また、推定対象パスを伝搬する信号の１シンボル内に含まれるサンプル信号毎の伝搬路推定値を高速かつ高精度で推定できるため、推定した伝搬路推定値を等化器１０における受信信号の等化処理に有効に活用することができ、その結果、受信機の受信性能を高く維持することができる。【００８５】
例えば、スペクトル拡散方式を用いた通信のチップ干渉の等化処理、ＯＦＤＭ方式を用いた通信の符号間干渉、キャリア間干渉の等化処理に活用することができる。具体的には、チップ干渉の等化は、【００８６】
【数４】
2010038273.tif 000006
と処理される。ここで、伝搬路行列は、推定対象パスを伝搬する信号の１シンボル（Ｔ個のサンプル信号）内に含まれるサンプル信号毎の伝搬路推定値を用いて、例えば次式のように定義される。【００８７】
【数５】
2010038273.tif 000007
【００８８】
また、キャリア間干渉の等化は、【００８９】
【数６】
2010038273.tif 000008
と処理される。【００９０】
また、符号間干渉の等化は、【００９１】
【数７】
2010038273.tif 000009
と処理される。【００９２】
次に、図１６を参照して、上述した本実施例による効果（受信機の受信性能の向上）についてシミュレーションにより確認する。図１６は、本実施例に係る伝搬路推定装置１１を用いたシミュレーション結果の一例を示す図である。なお、図１６では、１シンボル内のサンプル信号数Ｔで正規化した最大ドップラ周波数ｆｄＴを横軸とし、ＢＥＲ（Ｂｉｔ  Ｅｒｒｏｒ  Ｒａｔｉｏ）＝２×１０-４を得るための所要ＣＮＲ（Ｃａｒｒｉｅｒ  ｖｓ  Ｎｏｉｓｅ  Ｒａｔｉｏ）を縦軸としている。また、図１６では、白三角印のプロットが、１シンボル（Ｔサンプル信号）内で伝搬路推定値が一定であると仮定した場合の所要ＣＮＲを示し、黒四角印のプロットが、本実施例の伝搬路推定方法を使用して伝搬路推定値を推定した場合の所要ＣＮＲを示している。【００９３】
図１６に示すように、伝搬路推定値が一定であると仮定した場合（白三角印のプロット）、ｆｄＴ＝０．０４に対する所要ＣＮＲが約３３ｄＢまで上昇しているのに対し、本実施例の伝搬路推定方法を使用した場合（黒四角印のプロット）、ｆｄＴ＝０．０４に対する所要ＣＮＲが約２４ｄＢに維持されている。この結果より、本実施例の伝搬路推定方法を使用することによって、ｆｄＴの比較的に大きい環境、すなわち、１シンボル（Ｔサンプル信号）内におけるフェージング変動の比較的に激しい伝搬路環境であっても、受信機における受信性能を高く維持することができることが分かる。【００９４】
さて、これまで本発明の実施例について説明したが、本発明は上述した実施例以外にも、上記特許請求の範囲に記載した技術的思想の範囲内において種々の異なる実施例にて実施されてもよいものである。【００９５】
例えば、本発明は、ＯＦＤＭ通信方式を用いた伝搬路推定装置に好適に適用することができる。図１７は、上述した実施例に係る伝搬路推定方法を適用したＯＦＤＭ用伝搬路推定装置の構成を示すブロック図である。なお、図１７では、推定受信時刻として、現在のシンボルにおける中心の時刻を採用するものとして説明する。また、上記実施例にて既に説明した部位と同じ部位には同じ符号を付して、重複する説明を省略することとする。【００９６】
図１７に示すように、ＯＦＤＭ用伝搬路推定装置１２は、上記実施例と同じ構成であるパス選択部２０と、振幅位相推定部２２と、補間補外処理部２３とを有しており、さらに、ＦＦＴ部１２１と、ＩＦＦＴ部１２２と、ＩＦＦＴ部１２３とを有している。【００９７】
ＦＦＴ部１２１は、時間領域の受信信号にＦＦＴ処理（フーリエ変換処理）を施して周波数領域の信号に変換する。仮伝搬路推定部５１１は、ＦＦＴ部１２１からの出力を既知送信系列で除算してサブキャリア方向に補間することで仮伝搬路推定値を推定する。等化部５１２は、ＦＦＴ部１２１の出力を仮伝搬路推定部５１１の推定した仮伝搬路推定値で除算して等化処理を行う。仮判定部５１３は、等化部５１２の出力を仮判定する。推定送信系列生成部５１４は、仮判定部５１３の出力と、既知送信系列とを用いて推定送信系列を生成する。ＩＦＦＴ部１２３は、推定送信系列生成部５１４により生成された推定送信系列にＩＦＦＴ処理（逆フーリエ変換処理）を施して、時間領域の信号に変換する。時間領域に変換された推定送信系列は、適応アルゴリズム推定部５２２へと出力される。【００９８】
ＩＦＦＴ部１２２は、仮伝搬路推定部５１１の出力にＩＦＦＴ処理を施して、遅延時間毎の仮伝搬路推定値、すなわち、パス毎の仮伝搬路推定値を算出し、これをパス選択部２０へ入力する。【００９９】
図１８は、図１７に示すＯＦＤＭ用伝搬路推定装置１２の他の構成を示すブロック図である。なお、図１８では、推定受信時刻として、現在のシンボルにおける前後両端の時刻を採用するものとして説明する。また、上記図１７にて既に説明した部位と同じ部位には同じ符号を付して、重複する説明を省略することとする。【０１００】
図１８に示すＯＦＤＭ用伝搬路推定装置１３は、図１７に示すＯＦＤＭ用伝搬路推定装置１２と、伝搬路推定値保存部６０を有していない点で異なっている。これは、推定受信時刻が現在のシンボルにおける前後両端の時刻であるため、サンプル毎伝搬路推定部６１にて補間補外処理を行う際に、過去のシンボルにおける推定対象パスの伝搬路推定値を用いないためである。これにより、ＯＦＤＭ用伝搬路推定装置１３は、図１７に示すＯＦＤＭ用伝搬路推定装置１２よりも装置構成を簡略化することができる。
【図１】
2010038273.tif 000010
【図２】
2010038273.tif 000011
【図３】
2010038273.tif 000012
【図４】
2010038273.tif 000013
【図５】
2010038273.tif 000014
【図６】
2010038273.tif 000015
【図７】
2010038273.tif 000016
【図８】
2010038273.tif 000017
【図９】
2010038273.tif 000018
【図１０】
2010038273.tif 000019
【図１１】
2010038273.tif 000020
【図１２】
2010038273.tif 000021
【図１３】
2010038273.tif 000022
【図１４】
2010038273.tif 000023
【図１５】
2010038273.tif 000024
【図１６】
2010038273.tif 000025
【図１７】
2010038273.tif 000026
【図１８】
2010038273.tif 000027
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
送信機から送信された信号を、複数のパスを介して受信する受信機に用いられる伝搬路推定装置であって、
前記パス毎の所定の特性値に基づいて、前記複数のパスのうち、伝搬路推定値を推定するためのパスである推定対象パスを選択するパス選択部と、
前記推定対象パスを伝搬する信号のうち、伝搬路推定値の推定対象となる信号を受信する時刻である推定受信時刻を決定する推定受信時刻決定部と、
前記推定対象パスを伝搬する信号の前記推定受信時刻における振幅及び位相を、前記推定対象パスの伝搬路推定値として推定する振幅位相推定部と、
前記推定対象パスの伝搬路推定値を用いた補間補外処理を行うことにより、前記推定対象パスを伝搬する信号の、前記推定受信時刻以外の時刻における伝搬路推定値を推定する補間補外処理部と、
を備えたことを特徴とする伝搬路推定装置。
【請求項２】
前記パス選択部は、
前記複数のパスを介して受信した信号から、前記パス毎の電力を、前記所定の特性値として算出するパス電力算出部と、
前記複数のパスのうち、前記算出した電力が所定の閾値以上となるパスを、前記推定対象パスとして選択する電力基準パス選択部と、
を備えたことを特徴とする請求項１に記載の伝搬路推定装置。
【請求項３】
前記パス選択部は、
前記複数のパスを介して受信した信号から、前記パス毎の電力を、前記所定の特性値として算出するパス電力算出部と、
前記複数のパスのうち、前記算出した電力が所定の閾値以上となるパスである有効電力パスを選択する電力基準パス選択部と、
各前記パスが前記電力基準パス選択部によって前記有効電力パスとして選択された確率を、前記所定の特性値として算出するパス選択確率算出部と、
前記算出した確率が所定の閾値以上となるパスを、前記推定対象パスとして選択する確率基準パス選択部と、
を備えたことを特徴とする請求項１に記載の伝搬路推定装置。
【請求項４】
前記受信機は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信方式で通信を行うＯＦＤＭ用受信機であって、
前記推定受信時刻決定部は、前記推定対象パスを伝搬する信号の１シンボル内に含まれるサンプル信号のうち、伝搬路推定値の推定対象となるサンプル信号を受信する時刻を前記推定受信時刻として決定し、
前記補間補外処理部は、前記推定受信時刻以外の時刻における伝搬路推定値を推定することにより、前記推定対象パスを伝搬する信号の１シンボル内に含まれるサンプル信号毎の伝搬路推定値を推定することを特徴とする請求項１〜３のいずれか１つに記載の伝搬路推定装置。
【請求項５】
前記推定受信時刻決定部は、
前記推定対象パスを伝搬する信号の過去のシンボル内に含まれるサンプル信号毎の伝搬路推定値と、前記推定対象パスを伝搬する信号の現在のシンボル内に含まれるサンプル信号毎の伝搬路推定値との間の時間変動量を検出する時間変動量検出部と、
前記時間変動量の大きさに応じて、前記推定受信時刻の数を決定する時刻数決定部と、
前記決定された前記推定受信時刻の数だけ、前記推定受信時刻を決定する時刻最終決定部と、
を備えたことを特徴とする請求項４に記載の伝搬路推定装置。
【請求項６】
送信機から送信された信号を、複数のパスを介して受信する受信機であって、
前記パス毎の所定の特性値に基づいて、前記複数のパスのうち、伝搬路推定値を推定するためのパスである推定対象パスを選択するパス選択部と、
前記推定対象パスを伝搬する信号のうち、伝搬路推定値の推定対象となる信号を受信する時刻である推定受信時刻を決定する推定受信時刻決定部と、
前記推定対象パスを伝搬する信号の前記推定受信時刻における振幅及び位相を、前記推定対象パスの伝搬路推定値として推定する振幅位相推定部と、
前記推定対象パスの伝搬路推定値を用いた補間補外処理を行うことにより、前記推定対象パスを伝搬する信号の、前記推定受信時刻以外の時刻における伝搬路推定値を推定する補間補外処理部と、
を備えたことを特徴とする受信機。
【請求項７】
送信機から送信された信号を、複数のパスを介して受信する受信機における伝搬路推定方法であって、
前記パス毎の所定の特性値に基づいて、前記複数のパスのうち、伝搬路推定値を推定するためのパスである推定対象パスを選択するパス選択ステップと、
前記推定対象パスを伝搬する信号のうち、伝搬路推定値の推定対象となる信号を受信する時刻である推定受信時刻を決定する推定受信時刻決定ステップと、
前記推定対象パスを伝搬する信号の前記推定受信時刻における振幅及び位相を、前記推定対象パスの伝搬路推定値として推定する振幅位相推定ステップと、
前記推定対象パスの伝搬路推定値を用いた補間補外処理を行うことにより、前記推定対象パスを伝搬する信号の、前記推定受信時刻以外の時刻における伝搬路推定値を推定する補間補外処理ステップと、
を含むことを特徴とする伝搬路推定方法。
【国際調査報告】
2010038273.tif 000028
2010038273.tif 000029
2010038273.tif 000030
2010038273.tif 000031